(57)【特許請求の範囲】
【請求項１】
送風ファンと前記送風ファンを収納する筐体とを備え、該筐体に空気を吸い込む吸込口と吸い込んだ空気を送出する吹出口とを有する携帯型送風装置において、
机上設置を可能にする脚と、
該脚を収納する収納部とを備え、
前記脚は、前記筐体の異なる２つの位置に回動可能に軸支されており、且つ、前記収納部への収納状態から少なくとも１６０度の角度まで回動可能であり、
前記脚を複数の角度に回動した位置で夫々の角度からの回動が規制された状態に保持する保持部を更に備え、
前記吹出口は、前記収納部と反対方向に空気を送出するようにしてあり、
前記脚を前記収納状態から所定の角度に回動した位置で前記保持部が前記脚を保持し、且つ、前記脚によって机上に設置された場合、前記吹出口から吹き出される空気の吹出方向を机上面に向けることを可能にしてあること
を特徴とする携帯型送風装置。
【請求項２】
前記脚は、前記収納部から引き出した状態であっても、前記収納部に収納した状態であっても、前記吸込口を塞がないように配置されていることを特徴とする請求項１に記載の携帯型送風装置。
【請求項３】
前記脚は、前記収納部から引き出した状態であっても、前記収納部に収納した状態であっても、前記吸込口の開口面積を変更しないように配置されていることを特徴とする請求項１又は２に記載の携帯型送風装置。
【発明の詳細な説明】
【技術分野】
【０００１】
本発明は、携帯可能な筐体内に送風ファンを備えた携帯型送風装置に関する。
【背景技術】
【０００２】
従来の携帯型送風装置は特許文献１に開示されている。この携帯型送風装置は携帯可能な薄箱状の筐体の背面に吸込口を開口し、前面に吹出口を開口する。筐体内には吸込口と吹出口とを連結する空気通路が設けられ、空気通路内に軸流ファンから成る送風ファンが配される。また、筐体の側面には回動自在のスタンドが設けられる。スタンドを回動して卓上の設置面に当接させると、スタンドの支持によって筐体を卓上に立設することができる。
【０００３】
スタンドにより筐体を卓上の設置面に立設した状態で送風ファンを駆動すると、吸込口から外気が空気通路内に流入する。この時、筐体の背面が設置面に対向して傾斜して配され、前面の吹出口から使用者の頭部等に向けて斜め上方に空気流が送出される。これにより、屋外や屋内で手軽に涼しさを得ることができる。
【先行技術文献】
【特許文献】
【０００４】
【特許文献１】特開２００８−５７５１９号公報
【発明の概要】
【発明が解決しようとする課題】
【０００５】
しかしながら、上記従来の携帯型送風装置によると、送風ファンが露出しており、携帯型送風装置を首から吊るして使用すると、装置の向きによって衣類が送風ファンの吸込口もしくは吹出口を塞いでしまうという問題があった。また、送風ファンが露出しているため回転部分に異物が入り、装置を損傷する恐れがあった。また、さらに送風ファンが外部から直接見えるため外観上美しくないという問題があった。
【課題を解決するための手段】
【０００６】
上記目的を達成するために本発明は、外観を滑らかな曲線で形成されたケースで覆い、概ね直方体と成すとともに、外部から直接見えない本体下部に吸込口を設け、本体上面に吹出口を設けた。
【０００７】
また、卓上設置を可能にするためにスタンド用脚を設けるとともに、本体に長さ方向のほぼ中央に脚を回動自在に軸支して、脚の開閉角度を大きくした。
【０００８】
また、脚を使用しない場合には外観上本体と一体に見えるように本体の収納部に収納する構造とし、美観を保つ構造とした。
【０００９】
さらに脚を使用しているときも収納しているときも吸込口を塞がないように配慮し、装置の姿勢によって送風性能が大きく影響を受けない構造とした。
【発明の効果】
【００１０】
本発明によれば、外観部分を滑らかな曲線を持つケースで覆い、送風ファンを内部に収納したので外観上の美観が達成される。
【００１１】
また、卓上設置用の脚を設けたので、携行できるだけでなく、卓上設置使用を可能にした。
【００１２】
また、脚を本体に収納可能に構成し、収納した時にも脚が吸込口を塞がない構造としたので、卓上設置使用時も首からの吊り下げ使用時も送風性能を十分に発揮できる。
【図面の簡単な説明】
【００１３】
【図１】本発明の携帯型送風装置を正面から見た外観図。
【図２】本発明の携帯型送風装置を背面から見た外観図。
【図３】本発明の携帯型送風装置を上面から見た外観図。
【図４】本発明の携帯型送風装置の脚を閉じた状態を示す右側面図。
【図５】図１中のＡ−Ａ線の断面による本発明の携帯型送風装置の内部構造図。
【図６】本発明の携帯型送風装置の脚の形状の一例を示す図で、（ａ）は平面図、（ｂ）は側面図、（ｃ）はＣ−Ｃ線の断面図。
【図７】本発明の携帯型送風装置の机上設置状態１を示す図。
【図８】本発明の携帯型送風装置の机上設置状態２を示す図。
【図９】本発明の携帯型送風装置の机上設置状態３を示す図。
【図１０】本発明の他の実施形態に関わる携帯型送風装置を背面から見た外観図。
【図１１】本発明の携帯型送風装置の他の実施形態に関わる脚の形状を示す図で、（ａ）は平面図、（ｂ）は側面図。
【発明を実施するための形態】
【００１４】
以下に本発明の実施形態を図１から図４を参照して説明する。図１は本実施形態の携帯型送風装置を示す正面図である。携帯型送風装置１は、一例として縦１００ｍｍ×横８０ｍｍ×厚さ２５ｍｍ程度の携帯可能な大きさに形成された正面視がほぼ矩形の薄箱状の筐体２を備えている。図において、吹出口は筺体２の上端部、吸込口は隠れているが下端部に設けられる。
【００１５】
また、筐体２の前面（表面側）ケース２ａには表示部４が設けられる。表示部４はＬＥＤ等の表示手段を用いて携帯型送風装置１の運転情報を表示する。また、ＬＥＤや液晶等の表示手段を用いて装置の運転状況、運転時間、累積運転時間や電池の残量表示をすることも好ましい。
【００１６】
図２は携帯型送風装置１を背面から見た図であり、脚３を閉じた状態を示している。前面ケース２ａの反対側となる背面（裏面側）ケース２ｂは、前面ケース２aと勘合して外観部を成す筺体２を形成する。脚３は、後で説明する上端部に設けられた吹出口７と下端部に設けられた吸込口６とを結ぶ方向を長手方向とする本体中央部で筐体２の両側面部に軸支された概ねコの字型の棒材で、筐体２の背面ケース２ｂに溝状の凹部として形成された収納部２ｆに収納される。この脚３は不使用時には、上下方向の下部（下半分の部分）に収納されている。
【００１７】
背面ケース２ｂの上下方向のほぼ中央左右に脚３の回動軸を設けたことで、脚３は収納状態から見て１８０°未満の角度で回動することが可能である。脚３は複数の開き角度で保持することが可能であり、脚３を開いた状態で脚３の支持によって筐体２を卓上の設置面に携帯送風装置１を後で説明する任意の立設形態で設置することができる。従って、脚３は、携帯送風装置１を卓上の設置面に設置する際に筐体２を支持する支持部を構成する。
【００１８】
筐体２の下部であって背面ケース２bの下端部には、外気を吸込むための吸込口６が形成されている。吸込口６には塵埃の吸込みを防ぐネットが貼付けされる。吸込口６は背面ケース２ｂ側の外部から常に見える状態であり、脚３の開閉に影響されずに外気を吸込むことが出来る。
【００１９】
筐体２を構成する前面ケース２ａ、背面ケース２ｂは上下方向および左右方向にわたって曲面で形成されており、通常の筐体の稜線に当たる部分には大きな半径を持つ曲面が与えられている（図1、図３、図４等を参照）。従って、携帯型送風装置１は通常の直方体を成す筐体のように明確な稜線を持たない。この構成により、筐体２は中央部の厚み方向が大きく膨らんだ形状を成している。
【００２０】
図３は携帯型送風装置１の上面から見た図であり、前面ケース２ａ及び背面ケース２ｂが形成する外観部の上面に吹出口７が開口されている。この吹出口７の開口には、吹き出し格子２ｄが設けられ、その開口部である吹出口７は前面ケース２aの方向に大きく偏って形成される。筐体２が半径の大きな曲面で形成されること、および吹出口７が前面ケース２ａ側に偏っていることによって、脚を使用せずに携帯型送風装置１を机上等に直接置いた場合、また首から吊るして使用した場合に、机や人体等との接触面と吹出口中心部との間に距離が確保され、気流の送出を妨げることがなく、良好に空気を送出できる。
【００２１】
図４は携帯型送風装置１の右側面図であり、側面２ｃには電源スイッチ５が設けられる。電源スイッチ５を［ＯＮ］の位置にすると、図５に示す送風ファン１７、イオン発生装置１８に通電され運転が開始される。表示部４には運転表示がされるとともに、イオン発生装置のイオン発生状況、電池の残量状況、等の運転情報が表示される。
【００２２】
図５は図１中の中心Ａ−Ａ線で切断した携帯型送風装置１の内部構造を示す断面図である。背面ケース２ｂ側にはイオン発生装置１８と電池１９を収納する隔離室２２ｂ、２２ｃが各々設けられる。背面ケース２ｂの内側には携帯型送風装置１の制御回路を実装した制御基板１５が取り付けられる。各々の隔離室２２ｂ、２２ｃに切欠き部が設けられるとともに、制御基板１５にはイオン発生装置１８を収納する隔離室２２ｂ、電池１９を収納する隔離室２２ｃにそれぞれ臨む端子部１５ａが接続される。隔離室２２ｂ、２２ｃにそれぞれ収納されるイオン発生装置１８及び電池１９は端子部１５ａを介して制御回路に接続される。
【００２３】
また、制御基板１５と前面ケース２ａとの間には送風ファン１７が設けられる。送風ファン１７は背面ケース２ｂから立設するボスに防振ゴムを介して止められる。送風ファン１７は両面吸込み型のターボファンであり、ハウジングの軸方向に開口する送風ファン１７の２つの吸気口（不図示）は筐体２の厚さ方向に各々配される。この構造では吸込口６から吸い込んだ空気を制御基板１５と送風ファン１７との隙間を通過する経路と、前面ケース２ａと送風ファン１７との隙間２５を通過する経路の２つの経路を介して吸気した空気を流通させて供給することが出来る。
【００２４】
一方の吸込み経路は制御基板１５と隔離室２２ｃとを経由し、制御基板１５と隔離室２２ｃ底壁の各々を冷却するとともに間接的に電池１９を冷却する。また、他方の吸込み経路は制御基板１５の側方を通過して前面ケースとの隙間２５に至り、制御基板１５を冷却する。
【００２５】
また、前面ケース２ａの内側には送風ファン１７と吹出口７とを連結する仕切パネル２２により覆われて空気通路８が形成される。仕切りパネル２２は概ねコの字形状の断面を有する壁体で、隔離室２２ｂの底壁と組み合わされて空気通路８を形成する。このため、空気通路８を流通する空気が隔離室２２ｂの底壁を冷却するとともに間接的にイオン発生装置１８を冷却する。
【００２６】
また、隔離室２２ｂの底壁には吹き出し気流を整流するための整流ガイド（不図示）が空気通路８に向かって設けられる。整流ガイドは隔離室２２ｂ底壁に立設された複数の板であり、隔離室２２ｂの表面積を拡大する働きを果たし、隔離室２２ｂの冷却を効率よく行わせる。
【００２７】
尚、筐体２の外部で背面ケース２ｂの上端部にはネックストラップを取り付ける取付孔を有する取付部２ｈが設けられ、この取付部２ｈにネックストラップを結び付けて携帯型送風装置１を使用者の首から吊り下げて携行することができる。
【００２８】
次に脚３の構成について説明する。脚３は図６に示すように概ねコの字形状をしており、脚本体部３ｃは概ね３角形の断面形状をしている。脚３はヒンジ機構により筐体２に回動自在に軸支される。脚３のヒンジ機構は、脚３の向かい合う２つの解放端部に、ラッチ構造体としてギヤ３a、３ｂを設けるとともに引っ張りバネ(不図示)を備えている。図２においてギヤ３a、３ｂはコの字形状の脚３の解放されている両端部に一体に設けられ、背面ケース２ｂの両側面に設けた貫通穴から左右各々が内部に挿通され、回転自在に支持される。ギヤ３a、３ｂは脚３の軸部分の全周囲に複数の歯が形成される。ギヤの隣接する歯と歯の間にシャフトが配される。引っ張りバネは一方端をシャフト(不図示)に、他方端を背面ケース２ｂに立設するボスに掛着され、シャフトをギヤに押しつける方向に付勢する付勢手段を構成する。
【００２９】
脚３の回動によりギヤ３a、３ｂが一体に回動し、引っ張りバネの付勢力に抗してシャフトがギヤの歯先の方向に移動する。そして、歯間をシャフトが周方向に相対移動することで、脚３の開閉角度を規制することが出来る。これにより筐体２の脚収納部２ｆの形状と相まって脚３を開度１８０゜未満の適当な任意の角度に保持（規制）することができる。そのため、脚３の任意の角度状態で保持され、卓上の設置面上に置いた際に、筐体２の背面ケース２ｂが設置面に対向する任意の角度での姿勢を保つことが可能である。
【００３０】
また、図８に示すように脚３を、収納時を０°とし大きく１６０°程度に開いて筐体２の背面を机上に向けた場合には、携帯型送風装置１の姿勢を低く保ち、約１０°程度の仰角で気流を吹き出すことが出来る。また、さらに、図９に示すように脚３を狭く約４０°に開いて吹出口７が低くなるように設置すると、気流を下向き約１５°に吹出すことが出来、ベッドのヘッドボード（ベッド頭部にある板）上に設置して就寝時の使用者に気流を送ることが出来る。実施例においては、約４０°ごとに脚開度の規制が出来る構造となっているが、角度は設計によって適宜決定できる。また、角度調整は等角度であることは必要ではない。
【００３１】
次に、吸込口６について説明する。この吸込口６は図２、図４、図５に示すように、背面ケース２の下端部に形成されている。背面ケース２ｂの下端部、および両側端部には、脚３を収納するための凹部形状の収納部２ｆが形成されている。これにより、脚３は、収納されたときに、背面ケース２ｂの外観を損なうことがないよう外壁面に沿うようになる。
【００３２】
また、背面ケース２ｂには、先に説明した隔離室２２ｂ、２２ｃに対向する部分に、該隔離室２２ｂ、２２ｃを開放（露出）し、電池１９、イオン発生装置１８を交換できるように蓋２ｇが着脱可能に設けられている。収納部２ｆに収納された状態で脚３の端面と蓋２ｇの下端面との間に隙間を形成し、気流Ａ１を確保するようにしている。
【００３３】
上記隙間に対応させて上記背面ケース２ｂの下端部には、吸込口６が形成されている。したがって、脚３を収納部２ｆに収納しても（図５参照）、吸込口６を閉塞せず、気流Ａ１を常に確保するようにしている。
【００３４】
上記脚３は、閉じた状態（収納状態）で背面ケース２ｂ及び蓋２ｇの下端双方から所定の距離を保ち、脚３と両者の間に隙間が形成される。該隙間は脚３の横幅一杯に渡って設けられ、脚３を開いた状態であっても閉じた状態であっても開口面積は変わらない。
【００３５】
以上のように、脚３の使用時も不使用時も送風ファン１７の送風性能が確保される。
【００３６】
ここで、上記吸込口６は、背面ケース２ｂの収納部２ｆに対応した下端部に設けている。そのため、図５に示すように吸込口６は背面ケース２ｂの設置面に対して一段凹んだ部分に形成されることになる。そのため、図５に示すように蓋２ｇを設置面に載置しても、吸込口６を閉塞することがない。そのため、吸込口６の気流Ａ１は常に確保できる。
【００３７】
次に本発明の携帯型送風装置に搭載されたイオン発生装置１８について説明する。隔離室２２ｂに配されるイオン発生装置１８は空気通路８に臨む複数の電極（不図示）を有している。イオン発生装置１８には高圧電気発生回路が内蔵されており、電池１９から電力供給を受けて作動する。高圧電気発生回路により電極には交流波形またはインパルス波形から成る高電圧が印加される。イオン発生装置１８は複数の放電電極を持ち、一の電極には正電圧が印加され、電離により発生するイオンが空気中の水分と結合して主としてＨ＋（Ｈ２Ｏ）ｍから成る正のクラスタイオンが形成される。他の電極には負電圧が印加され、電離により発生するイオンが空気中の水分と結合して主としてＯ２−（Ｈ２Ｏ）ｎから成る負のクラスタイオンが形成される。ここで、ｍ、ｎは任意の自然数である。
【００３８】
正イオンＨ＋（Ｈ２Ｏ）ｍ及び負イオンＯ２−（Ｈ２Ｏ）ｎは空気中の同時に送出されることによって空気中の浮遊菌や臭い成分の表面で凝集してこれらを取り囲む。そして、式（１）〜（３）に示すように、活性種である［・ＯＨ］（水酸基ラジカル）やＨ２Ｏ２（過酸化水素）を浮遊菌や臭い成分等の表面上で生成してこれらを破壊する。ここで、ｍ’、ｎ’は任意の自然数である。
【００３９】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・(１)
Ｈ+(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  ２・ＯＨ＋Ｏ２＋(ｍ＋ｍ'＋ｎ＋ｎ')Ｈ２Ｏ                ・・・(２)
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→Ｈ２Ｏ２＋Ｏ２＋(ｍ＋ｍ'＋ｎ＋ｎ')Ｈ２Ｏ                    ・・・(３)
上記構成の携帯型送風装置１において、携帯型送風装置１を机上使用する状態１を図７に示す。脚３を所望の角度に開いて卓上の設置面上に置くと、脚３の支持により筐体２が卓上に立設される。電源スイッチ５が入れられると送風ファン１７及びイオン発生装置１８が駆動される。送風ファン１７の駆動によって矢印Ａ１（図５参照）に示すように吸込口６を介して空気通路８内に外気が流入する。この時、外気に含まれる塵埃がフィルターにより捕集される。
【００４０】
送風ファン１７を通過して空気通路８に流通した空気は矢印Ａ２（図５参照）に示すように空気通路８内を流通し、イオン発生装置１８で発生したイオンが含まれる。そして、矢印Ａ３（図５参照）に示すように吹出口７から上方の使用者の頭部等に向けて正イオン及び負イオンを含む空気流が送出される。これにより、屋外や屋内で手軽に涼しさを得ることができるとともに、使用者の周囲の除菌や臭い除去を行うことができる。
【００４１】
図８、図９に他の使用状態を示す。図８では脚３を最大角度で開いた状態で、筐体２の背面部を机上に近接させて気流の吹き出し方向を水平よりもわずかに上向きにしている。就寝時の枕元での使用などが想定できる。また、図９には脚３を４０°程度開いた状態で、吹出口７を机上に近接させる。このようにすることで下向きの気流を得ることが出来る。本発明の携帯型送風装置１をベッドに寝ているときにヘッドボードもしくはヘッドボードに設けられた棚（一般に宮と呼ばれる）に設置する場合や書斎などで作業中に近傍の棚に設置する場合が想定される。筐体２の厚さ方向の中心線からみて脚３が回動する空間、つまり筐体２の背面側に対して、逆の空間つまり筐体２の前面側に吹出口７が形成されていることでこのような設置方法、使用方法が可能にされる。
【００４２】
また、当然のことではあるが脚３を収納した状態で、筐体２の背面を直接机上に接するように置くこともできる。この場合はほぼ水平方向に吹き出し気流が送出される。
【００４３】
また、本実施例では脚３の形状をコの字形状とし筐体２の両側面に軸支することによって、その内側の筐体内部にイオン発生装置１８や電池１９を収める構造とした。電池の形状を変更することによって脚の形状は変更できる。
【００４４】
図１０に脚の他の実施形態を示す。この実施形態における脚３０は、筐体２にほぼ中央部に軸支構造を備えており、Ｔ字型を呈している。この脚３０は、背面ケース２ｂに着脱可能に設けられる蓋２ｇに形成される凹部形状の収納部に収容される。脚３０は図１１に示すように、直線形状の脚本体部３０ｃの一端部に設置用の載置部を設けてＴ字形状にしている。この脚本体部３０ｃの他端部に開閉角度を任意に確保するためのギア３０ａが設けられている。このギア３０ａが、脚３と同様に回転可能に軸支され、同様にして回転する角度が規制され、任意の開閉角度を確保するようにしている。
【００４５】
なお、脚３０は、Ｔ形状とすることなく、脚本体部３０ｃの一端部に一方向に突出する載置部を設けることで、Ｌ字型の脚として構成できる。
【００４６】
本発明の携帯型送風装置１はネックストラップの使用により首から吊り下げて携行することが出来る。ネックストラップは筐体２の背面となる背面ケース２ｂに設けられたストラップ取付部２ｈに結び付けて使用する。ネックストラップを使用した状態では、携帯型送風装置１が使用者の胸から上腹部辺りに位置するようにネックストラップの長さが設定されている。自明ではあるが、この時の携帯型送風装置１はほぼ真上に吹出口７を向けた姿勢である。携帯型送風装置１を使用者の首から吊り下げて携行した状態や把持した状態で電源スイッチ５が入れられると、使用者と筐体２との隙間を介して外気が吸込口６に導かれる。そして、イオンを含む空気流が吹出口７から上方に向けて送出される。歩行時や着席時では人の胸の位置に比べて、人の顔の位置の方が少し前方になるため、吹出口７が筐体２の前方に偏って配置されていることが優位に働く。これにより、携帯型送風装置１の携行時においても涼しさを得ることができるとともに、正負イオンの働きにより使用者の周囲の除菌や臭い除去を行うことができる。
【００４７】
また、吹出口７には運転スイッチ５と連動して動作するシャッター７ａ（図５参照）を設けて、異物が侵入しないように配慮した。携帯型送風装置１を首からかけて使用する時には、吹出口７が上を向いていることが予測される。そのために、使用者が飲食をしたりすると食べ物の破片や飲料がこぼれ落ちたりして、運悪く吹出口７内に落下することも考えられる。このような、不慮の出来事を未然に防ぐものである。
【００４８】
シャッター７ａについて図５を参照してさらに説明する。運転スイッチ５には裏面に背面ケース２ｂを貫通して突起が設けられており、この突起がシャッター７ａのアーム（不図示）を操作することによりシャッター７ａの位置が背面ケース２ｂ側に移動させられる。送風時にはシャッター７ａは背面ケース２ｂに設けられた隔離室２２ｂの前方に移動して、通風を妨げないようにする。
【００４９】
以上の実施形態において、イオン発生装置１８によってマイナスイオンのみを放出してもよい。これにより、使用者のリラクゼーション効果を得ることができる。
【産業上の利用可能性】
【００５０】
本発明によると、携帯可能な筐体内に送風ファンを備えた携帯型送風装置や携帯型芳香器等に利用することができる。
【符号の説明】
【００５１】
１    携帯型送風装置
２    筐体
２ａ  前面ケース
２ｂ  背面ケース
２ｃ  側面カバー
２ｇ  蓋
３、３０  脚
４    表示部
５    電源スイッチ
６    吸込口
７    吹出口
８    空気通路
１７    送風ファン
１８    イオン発生装置
１９    電池
２５    隙間
【図１】
0005679932.tif 000002
【図２】
0005679932.tif 000003
【図３】
0005679932.tif 000004
【図４】
0005679932.tif 000005
【図５】
0005679932.tif 000006
【図６】
0005679932.tif 000007
【図７】
0005679932.tif 000008
【図８】
0005679932.tif 000009
【図９】
0005679932.tif 000010
【図１０】
0005679932.tif 000011
【図１１】
0005679932.tif 000012